(57)【要約】【課題】貯湯タンクユニットの一部が水没しても貯湯タンク内の湯の沸き上げを行うことが可能な貯湯式給湯装置を提供する。【解決手段】貯湯タンクユニット１２に設けられた貯湯タンク１１と、貯湯タンク１１内の水を加熱する加熱手段１３と、貯湯タンクユニット１２に設けられ、加熱手段１３を作動させる制御手段３１とを有する貯湯式給湯装置１０において、制御手段３１と、貯湯タンクユニット１２に備えられ、貯湯タンク１１内の水の加熱に利用される、加熱手段１３を除く電気系統機構２４、５０、６０とは、貯湯タンクユニット１２の取付部１２ａが設置面に固定された状態で、設置面から１ｍ以上の高さ位置にある高領域に設けられている。【選択図】図１
2020153535.tif 000002
【特許請求の範囲】
【請求項１】
貯湯タンクユニットに設けられた貯湯タンクと、前記貯湯タンク内の水を加熱する加熱手段と、前記貯湯タンクユニットに設けられ、前記加熱手段を作動させる制御手段とを有する貯湯式給湯装置において、
前記制御手段と、前記貯湯タンクユニットに備えられ、前記貯湯タンク内の水の加熱に利用される、前記加熱手段を除く電気系統機構とは、前記貯湯タンクユニットの取付部が設置面に固定された状態で、該設置面から１ｍ以上の高さ位置にある高領域に設けられていることを特徴とする貯湯式給湯装置。
【請求項２】
請求項１記載の貯湯式給湯装置において、前記加熱手段は、前記貯湯タンクの下部に接続された管Ｋを流れる該貯湯タンクからの水を加熱して湯にするヒートポンプユニットであって、前記電気系統機構として、前記管Ｋを通過した湯の送り先を、前記貯湯タンクの上部に湯を流入させる管Ｊ及び前記貯湯タンクの下部に湯を流入させる管Ｌのいずれか一方から他方に切り替える三方弁と、前記貯湯タンクの下部の水を前記管Ｋ経由で前記ヒートポンプユニットに送るポンプとが設けられていることを特徴とする貯湯式給湯装置。
【請求項３】
請求項１又は２記載の貯湯式給湯装置において、前記貯湯タンクの異なる高さ位置に配されて該貯湯タンク内の湯温を計測するｎ個の残湯量温度センサを更に備え、該ｎ個の残湯量温度センサにそれぞれ連結された第１ケーブルと前記制御手段に連結されたｎ本の第２ケーブルとをそれぞれ接続するｎ個のコネクタＣ１が、前記高領域に位置していることを特徴とする貯湯式給湯装置。
【請求項４】
請求項１〜３のいずれか１項に記載の貯湯式給湯装置において、前記貯湯タンクユニット内の部材の凍結を防止するヒータを更に備え、該ヒータは防水タイプであり、該ヒータに連結された第３ケーブルと前記制御手段に連結された第４ケーブルとを接続するコネクタＣ２が前記高領域に配置されていることを特徴とする貯湯式給湯装置。
【請求項５】
請求項１〜４のいずれか１項に記載の貯湯式給湯装置において、前記貯湯タンクの上部から給湯管に送り出された湯に水を混合する混合弁と、前記混合弁によって水が混合された湯の温度を計測する給湯温度センサとを更に備え、該給湯温度センサに連結された第５ケーブル及び前記制御手段に連結された第６ケーブルを接続するコネクタＣ３と、前記混合弁とが、前記高領域に位置していることを特徴とする貯湯式給湯装置。
【発明の詳細な説明】
【技術分野】
【０００１】
本発明は、貯湯タンクに給湯用の湯を貯留する貯湯式給湯装置に関する。
【背景技術】
【０００２】
貯湯タンク内の湯を貯湯タンクの上部から送り出して浴槽や蛇口等に供給する貯湯式給湯装置には、特許文献１、２に記載されているように、ヒートポンプユニット（ヒートポンプ）によって貯湯タンク内の湯を沸き上げるものがある。貯湯タンクの上部と下部は流路（以下、「流路Ｆ１」と言う）によって接続されており、貯湯タンクの下部の水は、流路Ｆ１に設けられた循環ポンプの作動によって、貯湯タンクの下部から出て流路Ｆ１を流れ、ヒートポンプユニットを経由して加熱され、流路Ｆ１を流れて貯湯タンクの上部に流入する。
【０００３】
流路Ｆ１のヒートポンプユニットの下流側領域には、一端が貯湯タンクの下部に連結された流路（以下、「流路Ｆ２」と言う）の他端が連結された三方弁が設けられている。三方弁は、ヒートポンプユニットが流路Ｆ１を流れる水を十分に加熱できる状態になるまで、貯湯タンクの下部からの水を流路Ｆ２経由で貯湯タンクの下部に送り、ヒートポンプユニットが流路Ｆ１を流れる水を十分に加熱できる状態になった後、貯湯タンクの下部からの水を流路Ｆ１によって貯湯タンクの上部に送るようにする。従って、貯湯タンク内には上部から湯が蓄えられる。
【０００４】
この貯湯式給湯装置においては、貯湯タンク内の湯の沸き上げのために、ヒートポンプユニット、循環ポンプ、三方弁及びこれらを制御する制御手段の作動が必要である。
また、このような貯湯式給湯装置では、一般的に、貯湯タンク、循環ポンプ及び三方弁等を具備するユニット（以下、「貯湯タンクユニット」と言う）がヒートポンプユニットとは別に設けられる。
【先行技術文献】
【特許文献】
【０００５】
【特許文献１】特開２０１６−９５０８９号公報
【特許文献２】特開２０１６−１３８７０２号公報
【発明の概要】
【発明が解決しようとする課題】
【０００６】
ところで、水害等によって水没した状態になると、ヒートポンプユニット（正確にはヒートポンプユニットに設けられている圧縮機等）、制御手段、循環ポンプ及び三方弁は不具合が生じる可能性が高い。この点、ヒートポンプユニットは貯湯タンクユニットに比べて全体の大きさが小さく、設置台等を用いて高い位置に設置することは容易であるが、貯湯タンクユニットは、耐震性等の理由から設置台等を用いて高い位置に配するのはコスト面等の観点から現実的ではない。
本発明は、かかる事情に鑑みてなされたもので、貯湯タンクユニットの一部が水没しても、貯湯タンク内の湯の沸き上げを行うことが可能な貯湯式給湯装置を提供することを目的とする。
【課題を解決するための手段】
【０００７】
前記目的に沿う本発明に係る貯湯式給湯装置は、貯湯タンクユニットに設けられた貯湯タンクと、前記貯湯タンク内の水を加熱する加熱手段と、前記貯湯タンクユニットに設けられ、前記加熱手段を作動させる制御手段とを有する貯湯式給湯装置において、前記制御手段と、前記貯湯タンクユニットに備えられ、前記貯湯タンク内の水の加熱に利用される、前記加熱手段を除く電気系統機構とは、前記貯湯タンクユニットの取付部が設置面に固定された状態で、該設置面から１ｍ以上の高さ位置にある高領域に設けられている。
【発明の効果】
【０００８】
本発明に係る貯湯式給湯装置は、制御手段と、貯湯タンクユニットに備えられ、貯湯タンク内の水の加熱に利用される電気系統機構とが、貯湯タンクユニットの取付部が設置面に固定された状態で、設置面から１ｍ以上の高さ位置にある高領域に設けられているので、貯湯タンクユニットの一部が水没しても、貯湯タンク内の湯の沸き上げを行うことが可能である。
【図面の簡単な説明】
【０００９】
【図１】本発明の一実施の形態に係る貯湯式給湯装置の説明図である。
【図２】制御手段の接続を示すブロック図である。
【図３】温度センサと制御手段の接続を示す説明図である。
【発明を実施するための形態】
【００１０】
続いて、添付した図面を参照しつつ、本発明を具体化した実施の形態につき説明し、本発明の理解に供する。
図１に示すように、本発明の一実施の形態に係る貯湯式給湯装置１０は、上部及び下部に管Ｊ及び管Ｋがそれぞれ接続された貯湯タンク１１を有する貯湯タンクユニット１２と、管Ｋを流れる貯湯タンク１１の下部からの水を加熱して湯にするヒートポンプユニット１３とを有し、ヒートポンプユニット１３によって加熱された湯が管Ｋ及び管Ｊ経由で貯湯タンク１１の上部に流入する装置である。以下、詳細に説明する。
【００１１】
貯湯タンク１１は、図１に示すように、上下に長く、下部に管Ｋ及び給水管１４が接続され、上部に管Ｊ及び給湯管１５が接続されている。給水管１４には、給水管１４を流れる水道水の温度を計測する温度センサ１６、圧力を所定の値に減圧する減圧弁１７及び水道水が逆流するのを防止する逆止弁１８が設けられている。
給湯管１５には、給水管１４が接続された混合弁１９が設けられ、混合弁１９は貯湯タンク１１の上部から給湯管１５に送り出された湯に給水管１４から供給される水を混合する。混合弁１９により温度調整がなされた湯は、給湯管１５を経由して台所や浴室等に供給される。なお、給湯管１５には、混合弁１９の湯の入り側及び水の入り側にそれぞれ逆止弁２０、２１が設けられている。
【００１２】
給湯管１５の混合弁１９の下流側には、給湯管１５を流れる湯の流量を計測する水量センサ２２と、混合弁１９によって水が混合された湯の温度を計測する温度センサ２３（給湯温度センサ）が設けられている。
貯湯タンク１１には、貯湯タンク１１の上部から下部にかけて（異なる高さ位置に）、貯湯タンク１１内の湯水（湯又は水を意味する）の温度を計測する温度センサ２４〜２９が設けられている。温度センサ２４〜２９の中で最も高い位置に配された温度センサ２４（缶体上温度センサ）は、貯湯タンク１１の上部の湯温を計測するもので、温度センサ２４で計測される湯温は、貯湯タンク１１から給湯管１５に送り出される湯の温度と実質的に同じである。
【００１３】
温度センサ１６、２３〜２９、混合弁１９及び水量センサ２２は、図２に示すように、リモコン操作機３０が接続された制御手段３１に接続されている。温度センサ１６、２３〜２９及び水量センサ２２の計測値を取得可能な制御手段３１は、例えば、マイクロコンピュータによって構成でき、温度センサ２３の計測温度がリモコン操作機３０で入力された給湯温度となるように、混合弁１９の湯及び水の混合比を調整する。制御手段３１は、水量センサ２２によって給湯管１５を湯が流れていることを検知しているときのみ、混合弁１９に湯及び水の混合比を変えさせる。従って、給湯管１５に湯が流れていないタイミングで、混合弁１９は待機状態となる。
【００１４】
また、給湯管１５の逆止弁２０の上流側領域には、図１に示すように、浴槽３２に湯を送る湯張り管３３が接続されている。湯張り管３３には、給水管１４が接続された混合弁３４が設けられ、混合弁３４は、図２に示すように、制御手段３１に接続されている。制御手段３１は、リモコン操作機３０に入力された湯張り温度の湯が浴槽３２に供給されるように、湯張り管３３を流れる貯湯タンク１１からの湯と給水管１４から供給される水との混合弁３４による混合比を調整する。
【００１５】
湯張り管３３には、図１に示すように、混合弁３４の上流側に逆止弁３５が設けられ、混合弁３４の下流側に、浴槽３２に湯張りが行われる際に開かれる電磁弁３６、浴槽３２から湯が逆流するのを防止する逆止弁付排水弁３７、浴槽３２に送られる湯の流量を計測する水量センサ３８及び浴槽３２に供給される湯の温度を計測する温度センサ３９が設けられている。
【００１６】
貯湯タンク１１には、貯湯タンク１１内の湯で浴槽３２を追焚きする追焚き回路４０が接続されている。追焚き回路４０には、貯湯タンク１１の上部から送り出された湯で浴槽３２内の湯を加熱する熱交換器４１と、追焚き回路４０に貯湯タンク１１の湯を循環させるポンプ４２と、追焚き回路４０内の湯水の自然対流を防止する逆止弁４３が設けられている。
電磁弁３６、水量センサ３８、温度センサ３９及びポンプ４２は、図２に示すように、制御手段３１に接続されており、制御手段３１は信号送信によって電磁弁３６及びポンプ４２の作動を制御する。
【００１７】
浴槽３２には、熱交換器４１に連結された浴槽回路４４が接続され、浴槽回路４４には、図１、図２に示すように、制御手段３１に接続されたポンプ４５が設けられている。浴槽３２内の湯は、ポンプ４５の作動により、浴槽回路４４を循環し、熱交換器４１を通過して加熱された後に浴槽３２に戻る。
浴槽回路４４には、図１に示すように、ポンプ４５の他、浴槽３２内の湯の水位を計測する水位センサ４６、浴槽回路４４に湯が循環している際にＯＮ状態となる水流スイッチ４７及び浴槽回路４４を循環する湯の温度を計測する温度センサ４８が設けられている。水位センサ４６、水流スイッチ４７及び温度センサ４８は、図２に示すように、制御手段３１に接続され、制御手段３１は、水位センサ４６及び温度センサ４８の各計測値を検知でき、水流スイッチ４７の状態から浴槽回路４４に湯が循環しているか否かを検出する。
【００１８】
上流端が貯湯タンク１１の下部に接続された管Ｋは、図１に示すように、中間領域がヒートポンプユニット１３に接続されている。管Ｋには、図１、図２に示すように、制御手段３１に接続されたポンプ５０が取り付けられ、ポンプ５０は、制御手段３１からの信号を受信して作動し、貯湯タンク１１の下部の水を管Ｋ経由でヒートポンプユニット１３に送る。
ヒートポンプユニット１３は、図１に示すように、冷媒が循環する循環回路５１を備え、循環回路５１には、管Ｋに接続された熱交換器５２、熱交換器５２を通過した冷媒の圧力を下げる膨張弁５３、膨張弁５３から送られる冷媒を気化させる蒸発器５４及び気体となった冷媒の圧力を上げる圧縮機５５が設けられている。
【００１９】
循環回路５１を循環する冷媒は、蒸発器５４での気化により外気から吸熱し、熱交換器５２を通過の際に管Ｋを流れる貯湯タンク１１の下部からの水に放熱して加熱する。
ヒートポンプユニット１３は、管Ｋの熱交換器５２の上流側及び下流側にそれぞれ取り付けられた温度センサ５６、５７と、蒸発器５４による冷媒の蒸発を促進するプロペラファン５８と、マイクロコンピュータ等によって構成可能な制御部５９と、これらを収容する筺体１３ａを具備している。
【００２０】
管Ｋの下流端には、２つの出水口が設けられた三方弁６０の入水口に接続されている。三方弁６０は、一方の出水口に下流端が貯湯タンク１１の上部に連結された管Ｊの上流端が接続され、他方の出水口に下流端が貯湯タンク１１の下部に連結された管Ｌの上流端が接続されている。三方弁６０は管Ｋを通過した湯の送り先を管Ｊ及び管Ｌのいずれか一方から他方に切り替える弁であり、管Ｊは三方弁６０からの湯を貯湯タンク１１の上部に送って流入させ、管Ｌは三方弁６０からの湯を貯湯タンク１１の下部に送って流入させる。
【００２１】
制御部５９は、図２に示すように、制御手段３１、温度センサ５６、５７、膨張弁５３、圧縮機５５、プロペラファン５８及び三方弁６０に接続されており、温度センサ５６、５７の計測温度を基にして、膨張弁５３の開度を調整して、管Ｋを流れる貯湯タンク１１の下部からの水を加熱する。
【００２２】
制御手段３１は、貯湯タンク１１内の湯を沸き上げようとする際、温度センサ２４の計測温度が予め定められた温度（以下、この温度をＴ１℃とする）以下であることを条件にヒートポンプユニット１３を作動させて貯湯タンク１１内の湯を沸き上げ、温度センサ２４の計測温度がＴ１℃より高い場合、ヒートポンプユニット１３を作動させない。これは、貯湯タンク１１の上部から給湯管１５に送り出される湯が所定温度（例えば９５℃）を超えないようにするためである。
【００２３】
制御手段３１から貯湯タンク１１内の湯の沸き上げを開始する信号が発信されると、ポンプ５０が作動し、制御部５９は圧縮機５５やプロペラファン５８等を作動させる。これによって、循環回路５１内の冷媒が循環を開始し、貯湯タンク１１の下部の水が管Ｋを通って熱交換器５２に送られる。制御部５９は、温度センサ５７の計測値が予め設定された温度（以下、この温度をＴ２℃とする）以下の場合、三方弁６０を、三方弁６０に流入した湯を管Ｌに送る状態にして、貯湯タンク１１の上部に低温の湯が流入するのを防止する。
【００２４】
そして、温度センサ５７の計測値がＴ２℃を超えると、制御部５９は、三方弁６０を、三方弁６０に流入した湯を管Ｊに送る状態にする。従って、貯湯タンク１１の湯が沸き上げられている間、貯湯タンク１１内では、貯湯タンク１１の上部に蓄えられている湯の層が下部に向かって徐々に拡大する。そして、貯湯タンク１１の湯が沸き上げられていない状態で貯湯タンク１１の上部から給湯管１５に湯が送り出されると、貯湯タンク１１内の湯の層が縮小する。そのため、制御手段３１は温度センサ２５〜２９の計測温度を基に貯湯タンク１１内の残湯量を検出することができる。本実施の形態では、温度センサ２５〜２９が残湯量温度センサに該当し、５（ｎ＝５）個の残湯量温度センサが設けられていることとなる。なお、残湯量温度センサは５個に限定されないのは言うまでもない。
【００２５】
本実施の形態では、図１に示すように、貯湯タンクユニット１２が、貯湯タンク１１、温度センサ１６、２３〜２９、３９、４８、減圧弁１７、逆止弁１８、２０、２１、３５、４３、逆止弁付排水弁３７、混合弁１９、３４、水量センサ２２、３８、制御手段３１、電磁弁３６、ポンプ４２、４５、５０、水位センサ４６、水流スイッチ４７、三方弁６０及びこれらを収容する筺体１２ａ等を備えている。制御手段３１には図示しない漏電遮断器が設けられている。
ヒートポンプユニット１３は、貯湯タンク１１内の水を加熱する加熱手段の一例である。
【００２６】
本実施の形態において、温度センサ２４、ポンプ５０及び三方弁６０は、貯湯タンクユニット１２に備えられ、貯湯タンク１１内の水の加熱に利用される電気系統機構（通電によって作動する部品やその部品を備える電動機器等）に該当する。温度センサ２４の計測温度の高低に関わらず貯湯タンク１１内の湯を沸き上げる場合、温度センサ２４はこの電気系統機構に該当しない。
【００２７】
また、温度センサ１６、２３〜２９、３９、４８には、図３に示すように、ケーブル６２〜７１がそれぞれ連結され、制御手段３１にはケーブル７２〜８１が連結されている。
温度センサ１６はケーブル６２とケーブル６２、７２を接続するコネクタ８２とケーブル７２とを介して制御手段３１に接続され、温度センサ２３はケーブル６３（第５ケーブル）とケーブル６３、７３を接続するコネクタ８３（コネクタＣ３）とケーブル７３（第６ケーブル）とを介して制御手段３１に接続され、温度センサ２４はケーブル６４とケーブル６４、７４を接続するコネクタ８４とケーブル７４とを介して制御手段３１に接続され、温度センサ２５はケーブル６５（第１ケーブル）とケーブル６５、７５を接続するコネクタ８５（コネクタＣ１）とケーブル７５（第２ケーブル）とを介して制御手段３１に接続され、温度センサ２６はケーブル６６（第１ケーブル）とケーブル６６、７６を接続するコネクタ８６（コネクタＣ１）とケーブル７６（第２ケーブル）とを介して制御手段３１に接続され、温度センサ２７はケーブル６７（第１ケーブル）とケーブル６７、７７を接続するコネクタ８７（コネクタＣ１）とケーブル７７（第２ケーブル）とを介して制御手段３１に接続され、温度センサ２８はケーブル６８（第１ケーブル）とケーブル６８、７８を接続するコネクタ８８（コネクタＣ１）とケーブル７８（第２ケーブル）とを介して制御手段３１に接続され、温度センサ２９はケーブル６９（第１ケーブル）とケーブル６９、７９を接続するコネクタ８９（コネクタＣ１）とケーブル７９（第２ケーブル）とを介して制御手段３１に接続され、温度センサ３９はケーブル７０とケーブル７０、８０を接続するコネクタ９０とケーブル８０とを介して制御手段３１に接続され、温度センサ４８はケーブル７１とケーブル７１、８１を接続するコネクタ９１とケーブル８１とを介して制御手段３１に接続されている。従って、５個の温度センサ２５〜２９にそれぞれ連結された５本のケーブル６５〜６９と、制御手段３１に連結された５本のケーブル７５〜７９とが、５個のコネクタ８５〜８９によって接続されていることになる。
【００２８】
また、給水管１４には、図１に示すように、ヒータ９２、９３が取り付けられ、給湯管１５にヒータ９４が取り付けられている。ヒータ９２、９３、９４は、貯湯タンクユニット１２内の給水管１４や給湯管１５（即ち、貯湯タンクユニット１２内の部材）の凍結を防止するためのものであり、本実施の形態では、ヒータ９２、９３、９４に防水タイプのヒータを採用している。ヒータ９２、９３、９４には、図３に示すように、それぞれケーブル９５、９６、９７が連結されており、制御手段３１にはケーブル９８、９９、１００が連結されている。
【００２９】
ヒータ９２はケーブル９５（第３ケーブル）とケーブル９５、９８を接続するコネクタ１０１（コネクタＣ２）とケーブル９８（第４ケーブル）を介して制御手段３１に接続され、ヒータ９３はケーブル９６（第３ケーブル）とケーブル９６、９９を接続するコネクタ１０２（コネクタＣ２）とケーブル９９（第４ケーブル）を介して制御手段３１に接続され、ヒータ９４はケーブル９７（第３ケーブル）とケーブル９７、１００を接続するコネクタ１０３（コネクタＣ２）とケーブル１００（第４ケーブル）を介して制御手段３１に接続されている。
【００３０】
ここで、貯湯タンクユニット１２及びヒートポンプユニット１３はそれぞれ、水没によって不具合が生じ易い部品や電動機器等を複数個有している。そのため、水害等で水没すると、貯湯タンク１１内の湯の沸き上げや貯湯タンク１１から浴室等への給湯ができなくなる。
この点、ヒートポンプユニット１３は設置面（地面に形成された基礎部や地面）に固定された台の上に筺体１３ａが取り付けられ、設置面から１ｍ以上の高さ位置に配されて、水害による水没が防止されている。
【００３１】
これに対し、貯湯タンクユニット１２の筺体１２ａは、ヒートポンプユニット１３の筺体１３ａよりも上下に長く、例えば、高さが２ｍであることから、貯湯タンクユニット１２全体を設置面から１ｍ以上の高さ位置に配するには、耐震構造の設置台等が必要となり、設置に要するコストが上昇し現実的ではない。
そこで、貯湯タンク１１内の湯の沸き上げに機能することが求められる温度センサ２４、三方弁６０、ポンプ５０（即ち、電気系統機構）及び制御手段３１は、貯湯タンクユニット１２の筺体１２ａに取り付けられた脚部（貯湯タンクユニット１２の取付部の一例）が設置面に固定された状態で、設置面から１ｍ以上の高さ位置にある領域（以下、「高領域」と言う）に設けられている。
【００３２】
本発明者らは、各種データの調査等を基に設置面から１ｍ以上で、多くの場合、水害による水没を回避できるとの結論に至り、上述した設計が効果的であると判断した。
貯湯タンク１１内の湯の沸き上げには温度センサ２４も正常に機能していることが求められるところ、温度センサ２４と制御手段３１を接続しているケーブル６４、コネクタ８４、ケーブル７４の中で、コネクタ８４は水没により温度センサ２４及び制御手段３１間の信号伝達を行えない状態になるため、コネクタ８４も高領域に設けられている。
【００３３】
また、制御手段３１は、温度センサ２５〜２９の計測温度を基に貯湯タンク１１内の残湯が少なくなったことを検出した際に貯湯タンク１１内の湯を沸き上げるように設計されている。制御手段３１が温度センサ２５〜２９の計測温度を取得できなくなると、残湯量を検出できず、残湯が少量となったことをきっかけに貯湯タンク１１内の湯を沸き上げることはできなくなる。この点、制御手段３１は、温度センサ２５〜２９の計測温度を取得できない状態になった場合でも、リモコン操作機３０において貯湯タンク１１内の湯を沸かす操作がなされることで、貯湯タンク１１内の湯を沸かすように設計されている。
【００３４】
温度センサ２５〜２９として、温度センサ２４と同様のサーミスタ、即ち、短期間の水没であれば不具合が生じにくいサーミスタが採用されている。コネクタ８５〜８９は水没により、それぞれ温度センサ２５〜２９の計測温度を制御手段３１に伝達できない状態になる。本実施の形態では、コネクタ８５〜８９もコネクタ８４と同様に高領域に設けられていることから、たとえ温度センサ２５〜２９が水没しても、コネクタ８５〜８９が水没しておらず、温度センサ２５〜２９の水没状態が長時間継続していなければ、貯湯タンク１１内の残湯が少量となったことをきっかけにした貯湯タンク１１内の湯の沸き上げを行うことができる。本実施の形態では、コネクタ１０１、１０２、１０３も高領域に配置されている。
【００３５】
更に、本実施の形態では、貯湯タンクユニット１２に設けられた水没に弱い部品や電動機器の中で、貯湯タンク１１内の湯を給湯管１５経由で外部に供給するのに必要となるのは混合弁１９及び温度センサ２３であり、混合弁１９は高領域に設けられている。
温度センサ２３として、短期間の水没であれば不具合が生じにくいサーミスタが採用されているが、コネクタ８３が水没すると、制御手段３１は温度センサ２３の計測温度を取得できず、貯湯タンク１１内の湯を給湯管１５経由で外部に供給できなくなる。よって、本実施の形態では、コネクタ８３も高領域に設けている。
【００３６】
高領域が設置面から高い位置であればあるほど、所定の部品等の水没を避けることが可能となる。よって、高領域は、設置面から１．２ｍ以上（より好ましくは１．５ｍ以上）の高さ領域にあることが好ましい。但し、貯湯タンクユニット１２の設計上、高領域の高さ位置には限界がある。
温度センサ１６、２３〜２９、３９、４８として同じサーミスタ（短期間の水没であれば不具合が生じにくいサーミスタ）が採用され、ケーブル６２〜７１の長さが等しい。
【００３７】
以上、本発明の実施の形態を説明したが、本発明は、上記した形態に限定されるものでなく、要旨を逸脱しない条件の変更等は全て本発明の適用範囲である。
例えば、水害から保護する対象を貯湯タンク内の湯の沸き上げのみに利用される電気系統機構及び制御手段に限定するのであれば、コネクタＣ１、Ｃ２、Ｃ３や給湯管を流れる湯に水を混合する混合弁を高領域に設ける必要はない。
また、加熱手段として、ヒートポンプユニット以外のもの、例えば、貯湯タンク内に設けられたヒータを採用してもよい（この場合、ヒータは貯湯タンクユニット内に備えられるが、当該ヒータは電気系統機構に該当しない）。
【符号の説明】
【００３８】
１０：貯湯式給湯装置、１１：貯湯タンク、１２：貯湯タンクユニット、１２ａ：筺体、１３：ヒートポンプユニット、１３ａ：筺体、１４：給水管、１５：給湯管、１６：温度センサ、１７：減圧弁、１８：逆止弁、１９：混合弁、２０、２１：逆止弁、２２：水量センサ、２３〜２９：温度センサ、３０：リモコン操作機、３１：制御手段、３２：浴槽、３３：湯張り管、３４：混合弁、３５：逆止弁、３６：電磁弁、３７：逆止弁付排水弁、３８：水量センサ、３９：温度センサ、４０：追焚き回路、４１：熱交換器、４２：ポンプ、４３：逆止弁、４４：浴槽回路、４５：ポンプ、４６：水位センサ、４７：水流スイッチ、４８：温度センサ、５０：ポンプ、５１：循環回路、５２：熱交換器、５３：膨張弁、５４：蒸発器、５５：圧縮機、５６、５７：温度センサ、５８：プロペラファン、５９：制御部、６０：三方弁、６２〜８１：ケーブル、８２〜９１：コネクタ、９２、９３、９４：ヒータ、９５〜１００：ケーブル、１０１、１０２、１０３：コネクタ、Ｊ、Ｋ、Ｌ：管
【図１】
2020153535.tif 000003
【図２】
2020153535.tif 000004
【図３】
2020153535.tif 000005